(57)【要約】  空気清浄装置（１００）は、操作パネル（２）と制御部（３）とを備える。操作パネル（２）は、操作部材（２１）と、基板（２４）とを備える。操作部材（２１）は、第１キー（２１１）〜第７キー（２１７）が配置される。基板（２４）は、第１キー（２１１）〜第７キー（２１７）の各々に対応する静電容量（ＣＰ）を検出する。基板（２４）は、制御部（３）に対して静電容量（ＣＰ）を示す信号（ＳＧ）を伝送する。制御部（３）は、信号（ＳＧ）に基づいて、第１キー（２１１）〜第７キー（２１７）の各々に対するユーザーのタッチを検出する。操作部材（２１）は、湾曲している。第１キー（２１１）〜第７キー（２１７）は、操作部材（２１）の湾曲に沿って配置される。
2020040130.tif 000002
【特許請求の範囲】
【請求項１】
複数のキーが配置される操作部材と、
前記複数のキーの各々に対応する静電容量を検出する基板とを備え、
前記基板は、制御部に対して静電容量を示す信号を伝送し、
前記制御部は、前記信号に基づいて、前記複数のキーの各々に対するユーザーのタッチを検出し、
前記操作部材は、湾曲しており、
前記操作部材の湾曲に沿って、前記複数のキーが配置される、操作パネル。
【請求項２】
前記複数のキーの各々と前記基板との間に配置されるスペーサを更に備え、
前記スペーサは、導電性と弾性とを有する、請求項１に記載の操作パネル。
【請求項３】
前記スペーサから前記基板に作用する圧力が均一になるように、前記スペーサの前記基板と直交する方向のサイズが決定される、請求項２に記載の操作パネル。
【請求項４】
前記スペーサの前記基板と直交する方向のサイズは、前記操作部材の湾曲に応じて決定される、請求項２に記載の操作パネル。
【請求項５】
前記操作部材と前記スペーサとの間に配置される板状部材を更に備え、
前記板状部材は、前記操作部材に沿って湾曲して形成され、
前記板状部材は、前記基板と平行な方向の前記スペーサの移動を規制する規制部材を備える、請求項２から請求項４のいずれか１項に記載の操作パネル。
【請求項６】
操作パネルと制御部とを備え、
前記操作パネルは、複数のキーが配置される操作部材と、
前記複数のキーの各々に対応する静電容量を検出する基板とを備え、
前記基板は、前記制御部に対して静電容量を示す信号を伝送し、
前記制御部は、前信号に基づいて、前記複数のキーの各々に対するユーザーのタッチを検出し、
前記操作部材は、湾曲しており、
前記操作部材の湾曲に沿って、前記複数のキーが配置される、電子機器。
【発明の詳細な説明】
【技術分野】
【０００１】
本発明は、操作パネル、及び電子機器に関する。
【背景技術】
【０００２】
ユーザーからの操作を受け付ける操作パネルが普及している。また、操作パネルにおいて、ユーザーからの操作を検出する種々の技術が開示されている。【０００３】
例えば、特許文献１に記載された静電容量型タッチスイッチ装置は、スイッチ電極部と、誘電体パネルと、導電性部材とを備える。スイッチ電極部は、静電容量の変化に応じて、予め決められたスイッチ動作を実行する。誘電体パネルは、スイッチ電極部にスイッチ動作を実行させるためにユーザーにタッチされる。導電性部材は、スイッチ電極部と誘電体パネルとの間に配置される。導電性部材は、弾性を有する。
【先行技術文献】
【特許文献】
【０００４】
【特許文献１】特開２００８−１９２３３６号公報
【発明の概要】
【発明が解決しようとする課題】
【０００５】
特許文献１に記載された静電容量型タッチスイッチ装置では、静電容量の変化に影響を与える空気層を排除できる。したがって、ユーザーからの操作を正確に検出できる。しかしながら、上記静電容量型タッチスイッチ装置では、誘電体パネルが平板状に形成されている。そのため、操作パネルのデザイン性が充分ではない場合がある。【０００６】
本発明は、上記課題に鑑みてなされたものであり、デザイン性を向上可能な操作パネル、及び電子機器を提供することを目的としている。
【課題を解決するための手段】
【０００７】
本発明に係る操作パネルは、操作部材と、基板とを備える。前記操作部材は、複数のキーが配置される。前記基板は、前記複数のキーの各々に対応する静電容量を検出する。前記基板は、制御部に対して静電容量を示す信号を伝送する。前記制御部は、前記信号に基づいて、前記複数のキーの各々に対するユーザーのタッチを検出する。前記操作部材は、湾曲している。前記複数のキーは、前記操作部材の湾曲に沿って配置される。【０００８】
本発明に係る電子機器は、操作パネルと制御部とを備える。前記操作パネルは、操作部材と、基板とを備える。前記操作部材は、複数のキーが配置される。前記基板は、前記複数のキーの各々に対応する静電容量を検出する。前記基板は、前記制御部に対して静電容量を示す信号を伝送する。前記制御部は、前記信号に基づいて、前記複数のキーの各々に対するユーザーのタッチを検出する。前記操作部材は、湾曲している。前記複数のキーは、前記操作部材の湾曲に沿って配置される。
【発明の効果】
【０００９】
本発明に係る操作パネル、及び電子機器によれば、デザイン性を向上できる。
【図面の簡単な説明】
【００１０】
【図１】本発明の実施形態に係る空気清浄装置の構成の一例を示す斜視図である。
【図２】本発明の実施形態に係る操作パネルの構成の一例を示す斜視図である。
【図３】本発明の実施形態に係る空気清浄装置の構成の一例を示す側面図である。
【図４】本発明の実施形態に係る操作パネルの構成の一例を示すＩＶ−ＩＶ断面図である。
【図５】本発明の実施形態に係る操作パネルの構成の一例を示すＩＶ−ＩＶ断面図である。
【図６】本発明の実施形態に係る規制部材の構成の一例を示す斜視図である。
【図７】本発明の実施形態に係るスペーサの構成の一例を示す断面図である。
【発明を実施するための形態】
【００１１】
以下、本発明の実施形態について、図面（図１〜図７）を参照しながら説明する。なお、図中、同一又は相当部分については同一の参照符号を付して説明を繰り返さない。
【００１２】
まず、図１を参照して、本発明の実施形態に係る空気清浄装置１００の構成について説明する。図１は、空気清浄装置１００の構成の一例を示す斜視図である。図１に示すように、空気清浄装置１００は、筐体１と、操作パネル２と、制御部３とを備える。空気清浄装置１００は、「電子機器」の一例に相当する。
【００１３】
また、本発明の実施形態では、図中に、互いに直交するＸ軸、Ｙ軸及びＺ軸を示す。Ｚ軸は鉛直方向に平行であり、Ｘ軸及びＹ軸は水平方向に平行である。Ｘ軸の正方向は、空気清浄装置１００の前面側を示す。
【００１４】
筐体１は、主筐体１１と背面カバー１２とを有する。主筐体１１は、空気清浄装置１００の前面と、空気清浄装置１００の側面の一部とを覆う。背面カバー１２は、空気清浄装置１００の背面と、空気清浄装置１００の側面の他の一部とを覆う。背面カバー１２は、主筐体１１に着脱自在に構成される。
【００１５】
操作パネル２は、ユーザーからの操作を受け付ける。操作パネル２は、空気清浄装置１００の上部に配置される。操作パネル２の構成については、後述にて図２及び図４〜図７を参照して詳細に説明する。
【００１６】
制御部３は、空気清浄装置１００の動作を制御する。制御部３は、プロセッサ３１及び記憶部３２を備える。プロセッサ３１は、例えばＣＰＵ（Ｃｅｎｔｒａｌ  Ｐｒｏｃｅｓｓｉｎｇ  Ｕｎｉｔ）を備える。記憶部３２は、半導体メモリーのようなメモリーを備える。記憶部３２は、ＨＤＤ（Ｈａｒｄ  Ｄｉｓｋ  Ｄｒｉｖｅ）を備えてもよい。記憶部３２は、制御プログラムを記憶している。
【００１７】
制御部３のプロセッサ３１は、制御プログラムを実行することによって、空気清浄装置１００の動作を制御する。本発明の実施形態では、制御部３のプロセッサ３１は、操作パネル２に配置された複数のキーの各々に対するユーザーのタッチを検出する。複数のキーについては、後述にて図２を参照して詳細に説明する。
【００１８】
次に、図１及び図２を参照して、本発明の実施形態に係る操作パネル２の構成について説明する。図２は、操作パネル２の構成の一例を示す斜視図である。図２に示すように、操作パネル２は、操作部材２１を備える。
【００１９】
操作部材２１は、湾曲している。具体的には、操作部材２１のＹ軸方向の端部に対して、操作部材２１のＹ軸方向の中央部がＺ軸の正方向（上方向）に突出するように、操作部材２１が湾曲している。操作部材２１は、樹脂で形成される。具体的には、操作部材２１は、例えばポリメタクリル酸メチル樹脂（ＰＭＭＡ：Ｐｏｌｙｍｅｔｈｙｌ  ｍｅｔｈａｃｒｙｌａｔｅ）で形成される。
【００２０】
操作部材２１は、第１キー２１１、第２キー２１２、第３キー２１３、第４キー２１４、第５キー２１５、第６キー２１６及び第７キー２１７を含む。第１キー２１１〜第７キー２１７の各々は、ユーザーによってタッチされる。第１キー２１１〜第７キー２１７の各々は、操作部材２１の湾曲に沿って配置される。
【００２１】
第１キー２１１〜第７キー２１７の各々には、機能が割り当てられている。例えば、第１キー２１１は、空気清浄装置１００の電源をオン又はオフする場合に、ユーザーによってタッチされる。第１キー２１１〜第７キー２１７は、「複数のキー」の一例に相当する。
【００２２】
以上、図１及び図２を参照して説明したように、本発明の実施形態では、操作部材２１の湾曲に沿って、第１キー２１１〜第７キー２１７が配置される。したがって、操作パネル２のデザイン性が向上される。また、ユーザーの視認性が向上される。すなわち、操作部材２１のＹ軸方向の端部に対して、操作部材２１のＹ軸方向の中央部がＺ軸の正方向（上方向）に突出するように湾曲している。したがって、空気清浄装置１００に対してＹ軸の正方向側又はＹ軸の負方向側に離間した位置にユーザーがいる場合にも、ユーザーは第１キー２１１〜第７キー２１７のうちの少なくとも１つのキーを視認できる。
【００２３】
なお、本発明の実施形態では、操作部材２１のＹ軸方向の端部に対して、操作部材２１のＹ軸方向の中央部がＺ軸の正方向（上方向）に突出するように、操作部材２１が湾曲しているが、本発明はこれに限定されない。操作部材２１が湾曲していればよい。例えば、操作部材２１のＹ軸方向の端部に対して、操作部材２１のＹ軸方向の中央部がＺ軸の負方向（下方向）に突出するように、操作部材２１が湾曲していてもよい。この場合には、空気清浄装置１００の正面にユーザーがいる場合に、ユーザーは第１キー２１１〜第７キー２１７を容易に視認できる。
【００２４】
また、本発明の実施形態では、操作部材２１は、第１キー２１１〜第７キー２１７を含むが、本発明はこれに限定されない。操作部材２１が複数のキーを含めばよい。例えば、操作部材２１が、２つのキーを含んでもよいし、３つのキーを含んでもよい。また、操作部材２１が、８つ以上のキーを含んでもよい。
【００２５】
次に、図１〜図４を参照して、本発明の実施形態に係る操作パネル２の構成について更に説明する。図３は、空気清浄装置１００の構成の一例を示す側面図である。図３に示すように、主筐体１１は、排気口１３を備える。背面カバー１２は、吸気口１２１を備える。
【００２６】
吸気口１２１は、空気清浄装置１００の外部から空気清浄装置１００の内部に空気を吸い込む。空気清浄装置１００は、図略のフィルタを備える。フィルタは空気の塵埃等を除去し、空気を清浄化する。排気口１３は、フィルタによって清浄化された空気を空気清浄装置１００の外部に排出する。排気口１３は、空気清浄装置１００の上部に配置される。
【００２７】
図４は、操作パネル２の構成の一例を示すＩＶ−ＩＶ断面図である。なお、ＩＶ−ＩＶ断面の位置は、図３に示されている。図４に示すように、操作パネル２は、操作部材２１に加えて、板状部材２２と、スペーサ２３と、基板２４と、第１支持部材２５と、第２支持部材２６とを備える。
【００２８】
板状部材２２は、操作部材２１の下方に配置される。板状部材２２は、操作部材２１に沿って湾曲して形成される。具体的には、板状部材２２のＹ軸方向の端部に対して、板状部材２２のＹ軸方向の中央部がＺ軸の正方向（上方向）に突出するように、板状部材２２が湾曲している。すなわち、操作部材２１及び板状部材２２の各々は、上方向に凸に湾曲している。操作部材２１は、板状部材２２に固定される。操作部材２１は、例えば、板状部材２２に両面テープで固定される。
【００２９】
板状部材２２は、樹脂で形成される。具体的には、板状部材２２は、例えば、高衝撃性ポリスチレン（ＨＩＰＳ：ｈｉｇｈ  ｉｍｐａｃｔ  ｐｏｌｙｓｔｙｒｅｎｅ）又はＡＢＳ樹脂で形成される。なお、ＡＢＳ樹脂は、アクリロニトリル、ブタジエン、スチレン共重合合成樹脂の総称である。
【００３０】
基板２４は、板状部材２２の下方に配置される。基板２４は、矩形板状に形成される。基板２４は、第１キー２１１〜第７キー２１７の各々に対応する静電容量ＣＰを検出する。基板２４は、図１に示す制御部３に対して静電容量ＣＰを示す信号ＳＧを伝送する。制御部３は、信号ＳＧに基づいて、第１キー２１１〜第７キー２１７の各々に対するユーザーのタッチを検出する。
【００３１】
スペーサ２３は、第１キー２１１〜第７キー２１７の各々と基板２４との間に配置される。スペーサ２３は、導電性と弾性とを有する。スペーサ２３の下面は、基板２４の上面と接触する。スペーサ２３の上面は、第１キー２１１〜第７キー２１７に対応する位置における板状部材２２の下面と接触する。すなわち、スペーサ２３の個数は、キーの個数（７個）と一致する。スペーサ２３は、四角柱状に形成される。スペーサ２３の電位は、基板２４の電位と一致する。スペーサ２３については、後述にて図５〜図７を参照して詳細に説明する。
【００３２】
第１支持部材２５は、底壁部材２５１と、側壁部材２５２とを含む。底壁部材２５１と、側壁部材２５２とは一体に形成される。底壁部材２５１は、第１支持部材２５のＺ軸方向の負方向側端（下側端）に配置される。底壁部材２５１は、平板状に形成される。側壁部材２５２の下端は、底壁部材２５１に接続される。側壁部材２５２は四角筒状に形成される。側壁部材２５２は、Ｚ軸の正方向に向けて先拡がり形状に形成される。
【００３３】
第１支持部材２５は、操作部材２１と、板状部材２２と、第２支持部材２６とを支持する。具体的には、側壁部材２５２は、操作部材２１のＹ軸方向の両端を支持する。側壁部材２５２は、板状部材２２のＹ軸方向の両端を支持する。底壁部材２５１は、第２支持部材２６を支持する。第２支持部材２６は、底壁部材２５１に立設される。更に具体的には、側壁部材２５２は、操作部材２１の外周縁を支持する。また、側壁部材２５２は、板状部材２２の外周縁を支持する。
【００３４】
第２支持部材２６は、板状部材２２と基板２４とを支持する。具体的には、第２支持部材２６は、基板２４のＹ軸方向の両端を支持する。更に具体的には、第２支持部材２６は、基板２４の４つの隅部を支持する。また、第１支持部材２５は、基板２４に対してＹ軸方向の外側において板状部材２２を支持する。
【００３５】
以上、図１〜図４を参照して説明したように、本発明の実施形態では、操作パネル２は、スペーサ２３を備える。スペーサ２３は、第１キー２１１〜第７キー２１７の各々と基板２４との間に配置される。スペーサ２３は、導電性と弾性とを有する。よって、スペーサ２３は、基板２４と同電位になる。したがって、基板２４は、ユーザーのタッチによる静電容量ＣＰの変化を正確に検出できる。
【００３６】
なお、本発明の実施形態では、スペーサ２３は、四角柱状に形成されるが、本発明はこれに限定されない。スペーサ２３は、柱状に形成されればよい。スペーサ２３が、例えば、円柱状に形成されてもよい。
【００３７】
次に、図３〜図５を参照して、本発明の実施形態に係る操作パネル２の構成について更に説明する。図５は、操作パネル２の構成の一例を示すＩＶ−ＩＶ断面図である。具体的には、図５は、図４に示すＩＶ−ＩＶ断面図の第１キー２１１〜第４キー２１４の部分を拡大した図である。
【００３８】
図５に示すように、板状部材２２は、規制部材２２１、規制部材２２２、規制部材２２３及び規制部材２２４を備える。スペーサ２３は、スペーサ２３１、スペーサ２３２、スペーサ２３３及びスペーサ２３４を備える。なお、板状部材２２は、規制部材２２５、規制部材２２６及び規制部材２２７を更に備える。規制部材２２５、規制部材２２６及び規制部材２２７については、後述にて図６を参照して説明する。
【００３９】
スペーサ２３１は、第１キー２１１の下方に配置される。スペーサ２３２は、第２キー２１２の下方に配置される。スペーサ２３３は、第３キー２１３の下方に配置される。スペーサ２３４は、第４キー２１４の下方に配置される。
【００４０】
規制部材２２１は、基板２４と平行な方向のスペーサ２３１の移動を規制する。基板２４と平行な方向は、Ｘ軸方向及びＹ軸方向を示す。規制部材２２１の下端は、基板２４の上面から離間している。また、スペーサ２３１は、圧縮された状態で板状部材２２の下面と基板２４の上面との間に配置される。よって、スペーサ２３１は、板状部材２２の下面と基板２４の上面とに当接するように配置される。
【００４１】
規制部材２２２は、基板２４と平行な方向のスペーサ２３２の移動を規制する。規制部材２２２の下端は、基板２４の上面から離間している。また、スペーサ２３２は、圧縮された状態で板状部材２２の下面と基板２４の上面との間に配置される。よって、スペーサ２３２は、板状部材２２の下面と基板２４の上面とに当接するように配置される。
【００４２】
規制部材２２３は、基板２４と平行な方向のスペーサ２３３の移動を規制する。規制部材２２３の下端は、基板２４の上面から離間している。また、スペーサ２３３は、圧縮された状態で板状部材２２の下面と基板２４の上面との間に配置される。よって、スペーサ２３３は、板状部材２２の下面と基板２４の上面とに当接するように配置される。
【００４３】
規制部材２２４は、基板２４と平行な方向のスペーサ２３４の移動を規制する。規制部材２２４の下端は、基板２４の上面から離間している。また、スペーサ２３４は、圧縮された状態で板状部材２２の下面と基板２４の上面との間に配置される。よって、スペーサ２３４は、板状部材２２の下面と基板２４の上面とに当接するように配置される。規制部材２２１〜規制部材２２４については、後述にて図６を参照して更に説明する。なお、以下の説明では、スペーサ２３１〜スペーサ２３４の各々が、上下方向に圧縮されていない場合について説明する。
【００４４】
スペーサ２３１の基板２４と直交する方向のサイズＨ１は、操作部材２１の湾曲に応じて決定される。基板２４と直交する方向は、Ｚ軸方向を示す。サイズＨ１は、スペーサ２３１のＺ軸方向のサイズを示す。スペーサ２３２の基板２４と直交する方向のサイズＨ２は、操作部材２１の湾曲に応じて決定される。サイズＨ２は、スペーサ２３２のＺ軸方向のサイズを示す。スペーサ２３３の基板２４と直交する方向のサイズＨ３は、操作部材２１の湾曲に応じて決定される。サイズＨ３は、スペーサ２３３のＺ軸方向のサイズを示す。スペーサ２３４の基板２４と直交する方向のサイズＨ４は、操作部材２１の湾曲に応じて決定される。サイズＨ４は、スペーサ２３４のＺ軸方向のサイズを示す。以下の説明において、サイズＨ１〜サイズＨ４の各々をサイズＨと記載する場合がある。
【００４５】
具体的には、スペーサ２３１〜スペーサ２３４の各々のサイズＨは、板状部材２２の下面と基板２４の上面との距離に応じて決定される。例えば、第４キー２１４の下方における板状部材２２の下面と基板２４の上面との距離が、第１キー２１１〜第３キー２１３の各々の下方における板状部材２２の下面と基板２４の上面との距離よりも大きい。よって、サイズＨ４は、サイズＨ１〜サイズＨ３の各々よりも大きい。
【００４６】
また、スペーサ２３１の上面の形状、スペーサ２３２の上面の形状、スペーサ２３３の上面の形状、及びスペーサ２３４の上面の形状の各々は、操作部材２１の湾曲に応じて決定される。例えば、スペーサ２３１の上面は、スペーサ２３１におけるＹ軸の正方向側端（右側端）が、スペーサ２３１におけるＹ軸の負方向側端（左側端）よりも低くなるように傾斜している。また、例えば、スペーサ２３３の上面は、Ｘ−Ｙ平面と概ね平行な方向に形成される。スペーサ２３３は、操作部材２１のＹ軸方向の中央部に位置している。
【００４７】
以上、図３〜図５を参照して説明したように、本発明の実施形態では、スペーサ２３の基板２４と直交する方向のサイズは、操作部材２１の湾曲に応じて決定される。よって、スペーサ２３から基板２４に作用する圧力が均一になる。したがって、製造時にスペーサ２３からの圧力による基板２４の損傷が抑制される。
【００４８】
また、本発明の実施形態では、スペーサ２３の上面の形状は、操作部材２１の湾曲に応じて決定される。よって、板状部材２２の下面からスペーサ２３の上面に作用する圧力が、スペーサ２３の上面に均一に作用する。したがって、製造時にスペーサ２３からの圧力による基板２４の損傷が更に抑制される。
【００４９】
また、本発明の実施形態では、規制部材２２１〜規制部材２２４の各々は、基板２４と平行な方向のスペーサ２３の移動を規制する。したがって、基板２４は、ユーザーのタッチによる静電容量ＣＰの変化を更に正確に検出できる。
【００５０】
なお、本発明の実施形態では、スペーサ２３の基板２４と直交する方向のサイズは、操作部材２１の湾曲に応じて決定されるが、本発明はこれに限定されない。スペーサ２３から基板２４に作用する圧力が均一になるように、スペーサ２３の基板２４と直交する方向のサイズが決定されればよい。
【００５１】
次に、図３〜図６を参照して、本発明の実施形態に係る規制部材２２１〜規制部材２２７の構成について説明する。図６は、規制部材２２１〜規制部材２２７の構成の一例を示す斜視図である。なお、図６に示す斜視図は、板状部材２２を底面側（Ｚ軸の負方向側）から見た斜視図である。
【００５２】
図６に示すように、規制部材２２１〜規制部材２２７の各々は、四角筒状に形成される。また、長さＬ１は、長さＬ２よりも長い。長さＬ１は、規制部材２２１のＸ軸方向の長さを示す。長さＬ２は、規制部材２２２〜規制部材２２７の各々のＸ軸方向の長さを示す。
【００５３】
以上、図３〜図６を参照して説明したように、本発明の実施形態では、規制部材２２１〜規制部材２２７の各々は、四角筒状に形成される。よって、基板２４と平行な方向のスペーサ２３の移動が確実に規制される。したがって、基板２４は、ユーザーのタッチによる静電容量ＣＰの変化を更に正確に検出できる。
【００５４】
また、長さＬ１は、長さＬ２よりも長い。よって、板状部材２２が図４に示す第１支持部材２５に間違った方向で配置されることが抑制される。換言すれば、板状部材２２が図４に示す第１支持部材２５にＹ軸方向について逆方向に配置されることが抑制される。したがって、操作パネル２の製造が容易になる。
【００５５】
次に、図３〜図７を参照して、本発明の実施形態に係るスペーサ２３の構成について更に説明する。図７は、スペーサ２３の構成の一例を示す断面図である。スペーサ２３は、第１部材２３ａと第２部材２３ｂとを含む。
【００５６】
第１部材２３ａは、アルミニウムが含浸された布である。第１部材２３ａは、導電性を有する。第１部材２３ａは、第２部材２３ｂの外周面を覆うように配置される。
【００５７】
第２部材２３ｂは、ウレタンである。第２部材２３ｂは、弾性を有する。第２部材２３ｂは、四角柱状に形成される。
【００５８】
スペーサ２３としては、例えば、北川工業株式会社製のソフトガスケットＮＬＣＧシリーズ（製品名）が好適に使用される。
【００５９】
以上、図３〜図７を参照して説明したように、本発明の実施形態では、スペーサ２３は、第１部材２３ａと第２部材２３ｂとを含む。第１部材２３ａは、第２部材２３ｂの外周面を覆うように配置される。第１部材２３ａは導電性を有する。第２部材２３ｂは弾性を有する。したがって、スペーサ２３は、簡素な構成で、導電性と弾性とを有する。
【００６０】
なお、本発明の実施形態では、スペーサ２３は、第１部材２３ａと第２部材２３ｂとを含むが、本発明はこれに限定されない。スペーサ２３が、導電性と弾性とを有すればよい。
【００６１】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６２】
（１）図１を参照して説明したように、本発明の実施形態では、電子機器が空気清浄装置１００であるが、本発明はこれに限定されない。電子機器は、操作パネル２を備えればよい。電子機器が、例えば電子レンジでもよいし、洗濯機でもよい。また、電子機器が、掃除機でもよいし、炊飯器でもよい。
【００６３】
（２）図１を参照して説明したように、本発明の実施形態では、操作パネル２が空気清浄装置１００の上部に配置されるが、本発明はこれに限定されない。操作パネル２が空気清浄装置１００に配置されればよい。例えば、操作パネル２が空気清浄装置１００の前面に配置されてもよい。
【産業上の利用可能性】
【００６４】
本発明は、デザイン性を向上可能な操作パネル、及び電子機器を提供するものであり、産業上の利用可能性を有する。
【符号の説明】
【００６５】
１００    空気清浄装置（電子機器）
１    筐体
１１    主筐体
１２    背面カバー
１２１    吸気口
１３    排気口
２    操作パネル
２１    操作部材
２１１〜２１７    第１キー〜第７キー（複数のキー）
２２    板状部材
２２１〜２２７    規制部材
２３、２３１、２３２、２３３、２３４    スペーサ
２３ａ    第１部材
２３ｂ    第２部材
２４    基板
２５    第１支持部材
２６    第２支持部材
３    制御部
３１    プロセッサ
３２    記憶部
Ｈ、Ｈ１〜Ｈ４    サイズ
ＣＰ    静電容量
Ｌ１、Ｌ２    長さ
【図１】
2020040130.tif 000003
【図２】
2020040130.tif 000004
【図３】
2020040130.tif 000005
【図４】
2020040130.tif 000006
【図５】
2020040130.tif 000007
【図６】
2020040130.tif 000008
【図７】
2020040130.tif 000009
【国際調査報告】
2020040130.tif 000010
2020040130.tif 000011